【手続補正書】
【提出日】平成17年4月27日(2005.4.27)
【手続補正１】
【補正対象書類名】明細書
【補正対象項目名】特許請求の範囲
【補正方法】変更
【補正の内容】
【特許請求の範囲】
【請求項１】
パック収容部を有する筐体と、
前記パック収容部に着脱可能に収容されるとともに係合部を有するパック状機器と、
前記筐体に設けられ、前記係合部を係止するロック位置と前記係合部を解放するロック解除位置との間で移動可能であるとともに前記ロック位置に付勢される保持機構と、
前記保持機構を前記ロック位置に規制する第１の位置と前記保持機構の移動を許容する第２の位置との間で移動可能に前記保持機構に取付けられたロック部材と、を備えたことを特徴とする電子機器。
【請求項２】
前記係合部は傾斜面を有し、
前記保持機構は前記係合部を係止する係止部を備え、この係止部は前記パック状機器の着脱時に前記傾斜面と摺接するカム面を備えたことを特徴とする請求項１に記載の電子機器。
【請求項３】
前記傾斜面は、前記パック状機器のパック収容部に対する着脱方向に対し交差する方向に沿って形成されたことを特徴とする請求項２に記載の電子機器。
【請求項４】
前記カム面は、前記保持機構が前記ロック位置に変位した際に前記傾斜面と摺接することを特徴とする請求項２に記載の電子機器。
【請求項５】
前記保持機構が、前記筐体の外壁に露出して配される操作部と、この操作部の一部が切欠かれて形成された切欠部とを有する操作体を備えるとともに、
前記ロック部材が、前記操作体の切欠部に係止する引掛り部を有することを特徴とする請求項１に記載の電子機器。
【請求項６】
前記操作体と前記ロック部材が、それぞれ指を掛ける操作面を有し、
前記操作体の操作面と前記ロック部材の操作面とが略面一に形成されたことを特徴とする請求項５に記載の電子機器。
【請求項７】
前記ロック部材を前記第１の位置と前記第２の位置とにそれぞれ位置決めする位置決め手段を備えたことを特徴とする請求項５に記載の電子機器。
【請求項８】
前記筐体が、前記操作体を前記ロック位置と前記ロック解除位置との間で移動可能に支持するガイド溝を備え、
このガイド溝が、その内周面から凹に形成された係合受け部を備え、
前記操作体が前記ロック位置に変位した際に、前記ロック部材が、前記係合受け部に係合して前記操作体を前記ロック位置に規制する係合部を備えたことを特徴とする請求項１ないし請求項７のいずれかに記載の電子機器。
【手続補正２】
【補正対象書類名】明細書
【補正対象項目名】０００９
【補正方法】変更
【補正の内容】
【０００９】
【課題を解決するための手段】
前記目的を達成するため、本発明の一つの形態に係る電子機器は、
パック収容部を有する筐体と、
前記パック収容部に着脱可能に収容されるとともに係合部を有するパック状機器と、
前記筐体に設けられ、前記係合部を係止するロック位置と前記係合部を解放するロック解除位置との間で移動可能であるとともに前記ロック位置に付勢される保持機構と、
前記保持機構を前記ロック位置に規制する第１の位置と前記保持機構の移動を許容する第２の位置との間で移動可能に前記保持機構に取付けられたロック部材と、を備えたことを特徴としている。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
このような電子機器によると、パック状機器の係合部を係止するロック位置と前記係合部を解放するロック解除位置との間で移動可能な保持機構に、この保持機構をロック位置に規制する第１の位置と前記保持機構の移動を許容する第２の位置との間で移動可能なロック部材を取付けているので、これらの保持機構とロック部材とが互いに隣接して筐体に取付けられたものと比較して、実装密度が向上して、機器全体の筐体の薄形化が可能となる。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００３０
【補正方法】変更
【補正の内容】
【００３０】
コンピュータ本体２は、偏平な箱状をなす筐体４と、この筐体４内に収容されたＣＰＵ、ＲＯＭ、ＲＡＭなどを実装した回路基板などの各種の機能部品と、この筐体４の上面に装着されたキーボード５などを備えている。
【手続補正２３】
【補正対象書類名】明細書
【補正対象項目名】００３１
【補正方法】変更
【補正の内容】
【００３１】
前記筐体４は、平坦な底壁４ａと、この底壁４ａに連なる前壁４ｂ、一対の側壁４ｃ，４ｃ、後壁４ｄ及び上壁４ｅとを有している。上壁４ｅは、底壁４ａと略平行に配置されており、この上壁４ｅの前部は、平坦なパームレスト８となっている。パームレスト８は、筐体４の幅方向に沿って延びている。また、このパームレスト８の後方には、情報を入力する手段としての前述したキーボード５が配置されている。
【手続補正２４】
【補正対象書類名】明細書
【補正対象項目名】００３７
【補正方法】変更
【補正の内容】
【００３７】
ディスプレイユニット３は、コンピュータ本体２の筐体４の後端部に設けられた図示しないヒンジ装置によって、回動自在に枢支されている。このため、ディスプレイユニット３は、前記パームレスト８やキーボード５を覆い隠す閉じ位置と、前記パームレスト８やキーボード５を露出させる開き位置とに亘って、開閉自在に回動し得るようになっている。
【手続補正２５】
【補正対象書類名】明細書
【補正対象項目名】００３８
【補正方法】変更
【補正の内容】
【００３８】
前記コンピュータ本体２の筐体４は、図３及び図４に示すように、パック収容部としてのバッテリ収容部２０を備えている。バッテリ収容部２０は、前記パームレスト８の下方において、前記筐体４の幅方向に沿って延びている。
【手続補正２６】
【補正対象書類名】明細書
【補正対象項目名】００４１
【補正方法】変更
【補正の内容】
【００４１】
また、前記第１の端壁２１ａと第２の端壁２１ｂとは互いに略平行に配置されている。前記側壁２２は、前記前壁４ｂから筐体４の奥行き方向に離間した位置に配置されている。前記天井壁２３は、パームレスト８の内面と向かい合っている。
【手続補正２７】
【補正対象書類名】明細書
【補正対象項目名】００４９
【補正方法】変更
【補正の内容】
【００４９】
バッテリケース３２は、平坦な上面３６ａと下面３６ｂとを有している。上面３６ａ及び下面３６ｂは、前記第１及び第２の端面３３ａ，３３ｂに連なっている。バッテリパック３１がバッテリ収容部２０に収容された際に、前記上面３６ａは、前記天井面２３と相対するとともに、下面３６ｂは、前記底壁４ａと略面一となる。
【手続補正２８】
【補正対象書類名】明細書
【補正対象項目名】００７５
【補正方法】変更
【補正の内容】
【００７５】
前述した構成によれば、ロック機構５１は、前記筐体４に設けられ、前記係合部４１，４１を係止するロック位置と前記係合部４１，４１を解放するロック解除位置との間で移動可能であるとともに前記ロック位置に付勢されている。また、前記ロック部材５３は、前記ロック機構５１を前記ロック位置に規制する第１の位置と前記ロック機構５１の移動を許容する第２の位置との間で移動可能に前記ロック機構５１に取付けられている。
【手続補正２９】
【補正対象書類名】明細書
【補正対象項目名】０１０１
【補正方法】変更
【補正の内容】
【０１０１】
そして、前記第１のロック体８７は、前記係合溝９５に係合しかつガイド溝８１内をスライド移動する操作レバー８６の係合部９１によって支持されて、前記係止部９４がバッテリパック３１の係合部４１を係止するロック位置と、前記係止部９４がバッテリパック３１の係合部４１を解放するロック解除位置との間でスライド移動可能となっている。また、前記戻しばね８９は、第１のロック体８７をロック位置に付勢している。
【手続補正３０】
【補正対象書類名】明細書
【補正対象項目名】０１０３
【補正方法】変更
【補正の内容】
【０１０３】
また、前記第２のロック体８８は、前記係合部９８ａが係合受け部８２に係合する第１の位置（図１３に示す）と、前記係合部９８ａが係合受け部８２から離脱する第２の位置（図１４に示す）との間でスライド移動自在に前記操作レバー８６に取付けられるようになっている。
【手続補正３１】
【補正対象書類名】明細書
【補正対象項目名】０１０９
【補正方法】変更
【補正の内容】
【０１０９】
前記第１のロック体８７のみが、前記ロック位置からロック解除位置に向って変位された際には、この第１のロック体８７は、前記操作レバー８６を変位させることなく前記スライド溝８４の係止部スライド溝８５に沿ってスライド移動する。このため、前記第２のロック体８８が第１の位置に変位して前記操作レバー８６のスライド移動が規制されている場合にも、前記第１のロック体８７は、前記ロック位置と前記ロック解除位置との間でスライド移動可能となっている。
【手続補正３２】
【補正対象書類名】明細書
【補正対象項目名】０１２２
【補正方法】変更
【補正の内容】
【０１２２】
【発明の効果】
本発明によれば、ロック位置とロック解除位置との間で移動可能な保持機構に、この保持機構をロック位置に規制するロック部材を取付けているので、機器全体の筐体の薄形化が可能となる。
【手続補正３３】
【補正対象書類名】明細書
【補正対象項目名】０１２３
【補正方法】削除
【補正の内容】
【手続補正３４】
【補正対象書類名】明細書
【補正対象項目名】０１２４
【補正方法】削除
【補正の内容】
【手続補正３５】
【補正対象書類名】図面
【補正対象項目名】図９
【補正方法】変更
【補正の内容】
【図９】
1999345038.tif 000001